(57)【要約】【課題】器具本体に対してシェード体の向きを調整できる照明装置等を提供する。【解決手段】照明装置Ａは、ベース２１の表面に発光ユニット２３を備える器具本体２と、発光ユニット２３を覆う状態で器具本体２に着脱可能に装着されるシェード体３とを備え、シェード体３は、表側から見たときに非円形状をし、器具本体２に対して、器具本体２の中心軸回りに回転自在とされている。【選択図】図２
2019220263.tif 000002
【特許請求の範囲】
【請求項１】
ベースの表面に発光ユニットを備える器具本体と、
前記発光ユニットを覆う状態で前記器具本体に着脱可能に装着されるシェード体と
を備え、
前記シェード体は、表側から見たときに非円形状をし、前記器具本体に対して、当該器具本体の中心軸回りに回転自在とされている
照明装置。
【請求項２】
前記シェード体は、前記器具本体に着脱可能に装着される装着体と、前記装着体に対して回転自在に設けられたシェード本体とを備える
請求項１に記載の照明装置。
【請求項３】
前記装着体は円環状部を有し、
前記シェード本体は、前記円環状部の裏面上を周方向にスライド可能なスライド部を有する
請求項２に記載の照明装置。
【請求項４】
前記装着体と前記シェード本体は、前記スライド部が前記円環状部の裏面から離間すると、互いに径方向に嵌合して前記中心軸回りの回転を規制する突出部を有する
請求項３に記載の照明装置。
【請求項５】
前記シェード体を前記器具本体に装着する際には前記スライド部が前記円環状部の裏面から離間し、前記シェード体を前記器具本体に装着した後は前記スライド部が前記円環状部の裏面に当接する
請求項４に記載の照明装置。
【請求項６】
発光ユニットを備える器具本体と、前記器具本体の中心軸回りに回転することで前記器具本体に対して着脱するシェード体との装着構造において、
前記シェード体は、前記器具本体に着脱可能に装着される装着体と、前記シェード体が前記器具本体に装着されている状態で前記装着体に対して回転自在に設けられたシェード本体とを備え、
前記シェード本体は、前記シェード体が前記器具本体に対して着脱する際に、前記中心軸回りの回転が前記装着体により規制される
装着構造。
【請求項７】
前記シェード本体と前記装着体は、前記シェード体が前記器具本体に着脱する際に、前記中心軸の径方向に嵌合する嵌合部を有する
請求項６に記載の装着構造。
【請求項８】
前記中心軸の延伸方向は上下方向であり、
前記シェード本体は、前記装着体に対して上下方向に移動可能に設けられ、
前記シェード本体は、装着後に自重により下がった状態で前記装着体により下方から支持され、前記着脱の際に上方に押し上げられると、前記嵌合部同士が嵌合する
請求項７に記載の装着構造。
【発明の詳細な説明】
【技術分野】
【０００１】
本発明は、表光の出射側から見ると非円形状のシェード体が器具本体に着脱可能に装着される照明装置に関する。
【背景技術】
【０００２】
従来から、「本体と、該本体に取り付けられる半導体発光素子からなる光源と、前記本体に着脱可能でありかつ前記光源から放射された光を拡散する拡散カバーと、を有し、前記拡散カバーの外観形状が床面側から見て四角形である照明装置において、赤外線リモコン信号受信部や照度センサ等を有するサブユニットを有し、前記拡散カバーと、前記サブユニットと、を別体で構成し、前記サブユニットは、前記拡散カバーの外周の一辺に沿って該拡散カバーの外側に位置するよう前記本体に配設した」照明装置が提案されている（例えば特許文献１）。
なお、特許文献１の「本体」が本明細書の「器具本体」に相当し、「拡散カバー」が本明細書の「シェード体」に相当する。
【先行技術文献】
【特許文献】
【０００３】
【特許文献１】特開２０１３−２３９３５９号公報
【特許文献２】特開２０１３−１８７１０６号公報
【発明の概要】
【発明が解決しようとする課題】
【０００４】
しかしながら、特許文献１に記載の照明装置は、器具本体に対してシェード体の向きを調整できず、使い勝手の悪いものとなっている。
本発明は、器具本体に対してシェード体の向きを調整できる照明装置及び装着構造を提供することを目的とする。
【課題を解決するための手段】
【０００５】
本発明に係る照明装置、ベースの表面に発光ユニットを備える器具本体と、前記発光ユニットを覆う状態で前記器具本体に着脱可能に装着されるシェード体とを備え、前記シェード体は、表側から見たときに非円形状をし、前記器具本体に対して、当該器具本体の中心軸回りに回転自在とされている。
本発明に係る装着構造は、発光ユニットを備える器具本体と、前記器具本体の中心軸回りに回転することで前記器具本体に対して着脱するシェード体との装着構造において、前記シェード体は、前記器具本体に着脱可能に装着される装着体と、前記シェード体が前記器具本体に装着されている状態で前記装着体に対して回転自在に設けられたシェード本体とを備え、前記シェード本体は、前記シェード体が前記器具本体に対して着脱する際に、前記中心軸回りの回転が前記装着体により規制される。
【発明の効果】
【０００６】
本発明に係る照明装置及び装着構造は、器具本体に対してシェード体の向きを調整できる。
【図面の簡単な説明】
【０００７】
【図１】実施形態に係る照明装置の斜視図であり、（ａ）は表側から見た図であり、（ｂ）は裏側から見た図である。
【図２】照明装置の断面を拡大した図である。
【図３】器具本体とシェード体とを分離させた状態の斜視図であり、（ａ）は表側から見た図であり、（ｂ）は裏側から見た図である。
【図４】器具本体の分解状態を表側から見た斜視図である。
【図５】器具本体の分解状態を裏側から見た斜視図である。
【図６】シェード体の断面を拡大した図である。
【図７】シェード体の分解状態を表側から見た斜視図である。
【図８】装着体の一部を切り欠いた斜視図であり、（ａ）は裏側から見た図であり、（ｂ）は表側から見た図である。
【図９】天板の略半分を切り欠いた斜視図であり、（ａ）は裏側から見た図であり、（ｂ）は表側から見た図である。
【図１０】フレームとシェードとの組立状態の略半分を切り欠いた斜視図であり、（ａ）は裏側から見た図であり、（ｂ）は表側から見た図である。
【図１１】押さえの斜視図である。
【図１２】シェード本体と装着体との係合状態の断面を示す拡大斜視図であり、（ａ）はシェード体が器具本体に装着した状態であり、（ｂ）はシェード体を器具本体に対して着脱する際の状態である。
【図１３】変形例に係るシェード体を示す拡大断面斜視図である。
【発明を実施するための形態】
【０００８】
＜概要＞
実施形態の一態様に係る照明装置は、ベースの表面に発光ユニットを備える器具本体と、前記発光ユニットを覆う状態で前記器具本体に着脱可能に装着されるシェード体とを備え、前記シェード体は、表側から見たときに非円形状をし、前記器具本体に対して、当該器具本体の中心軸回りに回転自在とされている。
実施形態の別態様に係る照明装置において、前記シェード体は、前記器具本体に着脱可能に装着される装着体と、前記装着体に対して回転自在に設けられたシェード本体とを備える。これにより、簡単な構造で実施できる。
実施形態の別態様に係る照明装置において、前記装着体は円環状部を有し、前記シェード本体は、前記円環状部の裏面上を周方向にスライド可能なスライド部を有する。これにより、簡単な構造で実施できる。
実施形態の別態様に係る照明装置において、前記装着体と前記シェード本体は、前記スライド部が前記円環状部の裏面から離間すると、互いに径方向に嵌合して前記中心軸回りの回転を規制する突出部を有する。これにより、シェード体を器具本体に対して容易に着脱できる。
実施形態の別態様に係る照明装置において、前記シェード体を前記器具本体に装着する際には前記スライド部が前記円環状部の裏面から離間し、前記シェード体を前記器具本体に装着した後は前記スライド部が前記円環状部の裏面に当接する。これにより、装着状態でのシェード本体の器具本体に対する回転とシェード体の着脱の際の回転規制とを容易に行うことができる。
【０００９】
実施形態の一態様に係る照明構造は、発光ユニットを備える器具本体と、前記器具本体の中心軸回りに回転することで前記器具本体に対して着脱するシェード体との装着構造において、前記シェード体は、前記器具本体に着脱可能に装着される装着体と、前記シェード体が前記器具本体に装着されている状態で前記装着体に対して回転自在に設けられたシェード本体とを備え、前記シェード本体は、前記シェード体が前記器具本体に対して着脱する際に、前記中心軸回りの回転が前記装着体により規制される。
実施形態の別態様に係る装着構造において、前記シェード本体と前記装着体は、前記シェード体が前記器具本体に着脱する際に、前記中心軸の径方向に嵌合する嵌合部を有する。これにより、容易に実施できる。
実施形態の別態様に係る装着構造において、前記中心軸の延伸方向は上下方向であり、前記シェード本体は、前記装着体に対して上下方向に移動可能に設けられ、前記シェード本体は、装着後に自重により下がった状態で前記装着体により下方から支持され、前記着脱の際に上方に押し上げられると、前記嵌合部同士が嵌合する。これにより、簡単な構造でシェード体を上下に移動させることができる。
【００１０】
≪実施形態≫
１．概略
第１実施形態に係る照明装置Ａについて、図１〜図３を用いて説明する。
照明装置Ａは、設置面の被取付具に着脱自在に取り付けられる器具本体２と、器具本体２に着脱自在に装着されるシェード体３とを備える。
照明装置Ａは、被取付具としての引掛シーリングローゼットや引掛ローゼットに取り付けられる、所謂、シーリングライトである。
ここで、照明装置Ａから光が出射される側を表側とし、設置面側を裏側とする。
図３に示すように、照明装置Ａの表裏方向から見ると、器具本体２は円形状をし、シェード体３は非円形状の一例である方形状をしている。つまり、照明装置Ａは角型シーリングライトである。また、器具本体２の周方向を単に周方向ともいい、器具本体２の径方向を単に径方向ともいう。
シェード体３は、器具本体２に対して、器具本体２の中心を通る軸回りに回転自在に装着される。
以下、器具本体２とシェード体３について説明する。
【００１１】
２．器具本体
器具本体２について図４及び図５を用いて説明する。
器具本体２は、ベース２１、発光ユニット２３、電源ユニット２５、保護カバー２７を備える。
【００１２】
（１）ベース
ベース２１は円板状をしている。ベース２１は、金属板をプレス加工して構成されたり、樹脂材料を射出成形して構成されたりする。ここでは、発光ユニット２３に導電片を利用するため、絶縁性確保の観点から、樹脂材料により構成されている。
ベース２１は円形状の板状部２１１を有している。ベース２１は板状部２１１の中央に開口２１２を有している。ベース２１は開口２１２の周縁（板状部２１１の内周縁）から裏側に延伸する裏鍔部２１３を有している。ベース２１は板状部２１１の外周縁から裏側に凹入する溝部２１４を有している。
ベース２１は裏側に凹入する補強用の凹入部２１５，２１６を板状部２１１に有している。凹入部２１５は周方向に沿った円弧状をし、凹入部２１６は径方向に延伸する矩形状をしている。なお、凹入部２１６の裏面には設置面の装着時のガタツキ防止用の弾性部材（スポンジ等）２８１(図５参照）が設けられている。
【００１３】
（２）発光ユニット
発光ユニット２３は、発光素子の一例であるＬＥＤ素子２３１と、複数個のＬＥＤ素子２３１を実装する配線体２３２（Ａ〜Ｃ）とを備える。
離間する複数個の導電片から配線体２３２（Ａ〜Ｃ）が構成され、離間状態で隣接する導電片にＬＥＤ素子２３１が跨るように実装されている。なお、配線体２３２は、離間する複数個の導電片を補強する補強部２３３を表裏にそれぞれ備える。
ここでの発光ユニット２３は、複数個の導電片から構成された３つの配線体２３２Ａ、２３２Ｂ，２３２Ｃを備えている。
発光ユニット２３は、図４に示すように、ベース２１の棒状部２１７が配線体２３２Ａ〜Ｃを構成する導電片の間、導電片に形成された貫通孔又は欠け部を挿通した後に溶融されることで、ベース２１の板状部２１１の表面に固定される。
【００１４】
（３）電源ユニット
電源ユニット２５は、電源ケース２５１、電源回路（図示省略）、取付部２５２（図５参照）、取付操作部２５３（図４参照）を備える。
電源ケース２５１は、電源ベース２５４と、電源ベース２５４の一部を覆う電源カバー２５５とから構成される。電源ベース２５４と電源カバー２５５とで形成される内部空間に電源回路を収容する。なお、電源カバー２５５の裏面にガタツキ防止用の弾性部材（スポンジ等）２８１が設けられている(図５参照）。
電源ベース２５４は裏側に有底筒状に凹入する有底筒状部２５６を一体で有する。有底筒状部２５６の底部分の裏側に、図５に示すように、取付部２５２を構成する引掛刃２５７が取付けられている。有底筒状部２５６の底部分の表側に、図４に示すように、取付操作部２５３を構成する凸部分２５８が形成されている。
電源ユニット２５は、有底筒状部２５６の開口側端がベース２１の裏鍔部２１３に嵌合する状態で、ベース２１の表側から挿通するねじ２８３によりベース２１に固定される。
【００１５】
（４）保護カバー
保護カバー２７は透光性樹脂により構成されている。保護カバー２７は発光ユニット２３を覆う状態でベース２１にねじ２８４により取り付けられる。
保護カバー２７は、表側から見ると円環状をし且つ表側に膨出する円環膨出部２７１と、円環膨出部２７１の内周縁から裏側に延伸する内側裏鍔部２７２と、円環膨出部２７１の外周縁から裏側に延伸する外側裏鍔部２７３とを有する。
円環膨出部２７１は、図５に示すように、周方向に間隔をおいて裏側に凹入する凹入部分２７４を有し、保護カバー２７がベース２１に取り付けられた際に発光ユニット２３を表側から支持する。
保護カバー２７がベース２１に取り付けられた際、内側裏鍔部２７２はベース２１の裏鍔部２１３の内側に嵌合し、外側裏鍔部２７３はベース２１の溝部２１４の内周壁２１８に嵌合する。
【００１６】
保護カバー２７は、シェード装着用の装着部２７５を有している。ここでは、シェード体３が器具本体２（発光ユニット２３）の中心を通る軸(中心軸ともいう）回りに回転させた際に、シェード体３の装着部４２（図８参照）が係合する本体側係合部により装着部２７５が構成されている。
装着部２７５は、外側裏鍔部２７３の外周面に周方向に等間隔をおいて複数個（ここでは３個である）ある。装着部２７５は、外周面から径方向の外方に張り出す張出部分２７６と、張出部分２７６における周方向の一方向の端部に裏側に立設し且つ外周面と連結する立設部分２７７とを有する。
シェード体３の装着時に、シェード体３を周方向の一方向に回転させることで、シェード体３の装着部４２が張出部分２７６の裏面側を周方向にスライドし、さらに回転させることで装着部４２の先端が立設部分２７７に当接して、一方向への回転が規制される。
張出部分２７６は、シェード体３との係合状態を維持するための弾性凸部２７８を有し、弾性凸部２７８がシェード体３の装着体４の凹部４１３（ここでは、係合し易くするため６個である）に嵌る。なお、装着部２７５は、保護カバー２７がベース２１に取り付けられると、ベース２１の溝部２１４内に位置する。
【００１７】
３．シェード
シェード体３は、図６及び図７に示すように、器具本体２に着脱自在に装着される装着体４と、装着体４に対して回転自在に設けられたシェード本体５とを備える。
一例としてのシェード本体５は、天板６、フレーム７、シェード８とを備える。シェード体３は、装着体４を支持するための押さえ９を備える。
照明装置Ａは、シェード体３を器具本体２に装着する際に及びシェード体３を器具本体２から外す際に装着体４とシェード本体５との回転を規制し、シェード体３が器具本体２に装着された状態において装着体４とシェード本体５との回転をフリーにする装着機構１０（図６参照）を有している。
なお、シェード体３を器具本体２に装着する又はシェード体３を器具本体２から外すことを、単に、シェード体３を器具本体２に対して着脱する、又はシェード体３の器具本体２への着脱ともいう。
以下、各部について説明する。
【００１８】
（１）装着体
図８を用いて説明する。
装着体４は、円環状をする円環状部４１と、円環状部４１の内周側に設けられた装着部４２を有している。
装着部４２はシェード体３を器具本体２に装着する際に、保護カバー２７の装着部（本体側係合部）２７５に係合する（図４、５参照）。装着部４２は周方向に等間隔をおいて複数個存在する。装着部４２の個数は保護カバー２７の装着部２７５と同数又は複数倍ある。ここでは２倍の６個ある。装着部４２は、装着部２７５の張出部分２７６と対向する対向板部４１１を有している。装着部４２は対向板部４１１に凹部４１３を有する。凹部４１３には保護カバー２７の弾性凸部２７８が弾性変形して嵌る。
【００１９】
装着体４は、天板６のスライド部６３を表側から支持する支持部４３を円環状部４１に有している。支持部４３は、裏側から見ると円環状をし、平坦部分により構成される。
円環状部４１は、表側に凹入する溝部分４４を有し、溝部分４４の底の平坦部分により支持部４３が構成される。ここでの溝部分４４は裏側が開放する「コ」字状をしている。
円環状部４１は、「コ」字の溝部分４４の内周壁４４１の裏側端から、中心軸側に向かって延伸した後に裏側に延びる「Ｌ」字状のＬ字状部分４５を有している。これにより、溝部分４４に天板６のスライド部６３が嵌りやすくできる。Ｌ字状部分４５の外周側には補強用のリブ部分４５１が形成されている。
なお、Ｌ字状部分４５における表裏方向に延伸する部分に装着部４２が設けられている。
【００２０】
装着体４は、円環状部４１の外周面に径方向の外方へ突出する装着体側突出部４６を有している。ここでの装着体側突出部４６は複数個あり、周方向に等間隔をおいて形成されている。
複数個の装着体側突出部４６間には、後述の押さえ９に形成されているシェード側突出部９３が嵌合し、シェード本体５と装着体４との回転が規制される。なお、装着体側突出部４６とシェード側突出部９３とは嵌合するため、嵌合部の一例に相当する。
１つの装着体側突出部４６は、図８に示すように、裏側から表側に移るにしたがって突出幅（周方向の寸法）が徐々に小さくなるように形成されている。つまり、側方から装着体側突出部４６を見たときに、表側が細くなる台形状又は三角形状をしている。これにより、シェード本体５を装着体４に対して裏側に移動させた際に、装着体側突出部４６とシェード側突出部９３との嵌合をスムーズにできる。
【００２１】
（２）天板
図９を用いて説明する。
天板６は、中央に開口６１を有する方形状の板状部６２と、板状部６２の開口縁に形成されたスライド部６３とを有する。
天板６は、板状部６２の開口縁の全周から表裏方向に延伸する縦板部分６４１と、縦板部分６４１の表側端から開口６１の中心側へと張り出す横板部分６４３とを有する「Ｌ」字状のＬ字状部６４を有している。スライド部６３はＬ字状部６４の横板部分６４３により構成されている。
Ｌ字状部６４の縦板部分６４１は、図１２の（ａ）に示すように、横板部分６４３が装着体４の支持部４３により支持される状態において、装着体４の溝部分４４を構成する外周壁４４３に近接する。換言すると、Ｌ字状部６４における板状部６２の開口６１よりも表側部分が装着体４の溝部分４４に嵌る。これにより、天板６は装着体４に対して径方向に位置決めされる。
【００２２】
天板６は、板状部６２の表面であってＬ字状部６４に対して径方向の外側に間隔をおいた部位から、表側に延伸する表側延伸板部６５を有する。表側延伸板部６５は、図１２に示すように、装着体４の外周面にある装着体側突出部４６と対向し且つ近接する。なお、表側延伸板部６５は、装着体４に対して表裏方向に移動した際のガイド機能を有する。
【００２３】
天板６は、板状部６２の外周縁から表裏方向に延伸する段付鍔部６６を有している。段付鍔部６６は、外周縁に連続する内縦鍔部分６６１と、内縦鍔部分６６１の裏側端から横方向に延伸する横鍔部分６６３と、横鍔部分６６３の外周縁から裏側に延伸する外縦鍔部分６６５とを有する。
天板６には、図６に示すように、フレーム７が取り付けられる。内縦鍔部分６６１及び外縦鍔部分６６５の外面と横鍔部分６６３の表面にフレーム７が当接する状態で、ねじ６９１により固定される。
【００２４】
天板６は、補強用の凹部６７１やリブ６７３，６７５，６７７を板状部６２に有する。凹部６７１やリブ６７３は、方形状の板状部６２における対角線上及びその周辺に設けられている。リブ６７５は、方形状の板状部６２において、開口６１から外周縁に向かって延伸し、内縦鍔部分６６１に接続する。凹部６７１の両側に位置するリブ６７５は開口６１側で円弧状のリブ６７７により連結されている。
なお、リブ６７３は裏面側に、リブ６７５，６７７が表面側にそれぞれ設けられている。
天板６は押さえ９を装着するための装着部を有している。装着には、図７に示すねじ９８により行われ、装着部はボス部分６８１に形成されたねじ孔（図示省略）６８３により構成されている。
【００２５】
（３）フレーム
図１０を用いて説明する。
フレーム７は方形枠状をしている（図７参照）。フレーム７は、板状のフレーム本体７１と、フレーム本体７１の内側に設けられた補強体７３とを備える。
フレーム本体７１は、４本あり、方形枠状に組み立てられている。フレーム本体７１は、表側端部から内側に張り出す張出部７１１を有している。張出部７１１はシェード８の開口鍔部８３を表側から支持する。フレーム本体７１は補強体７３用の凹部７１３を有している。凹部７１３は表裏方向の略中央に形成され、補強体７３の一部が嵌合する。なお、フレーム本体７１と補強体７３とは例えばダボ孔７３ａを設けて釘で固定したり、接着剤により固着されている。
【００２６】
（４）シェード
図１０を用いて説明する。
シェード８は、方形状をし（図７参照）、その中央部分が表側に膨出するシェード本体８１と、シェード本体８１の外周縁から外側に張り出す開口鍔部８３を有する。シェード８は光透過性樹脂により構成されている。ここでは、リモコンの通信信号の透過、軽量化の観点からポリプロピレン（ＰＰ）が利用されている。
開口鍔部８３は開口側拡がりに傾斜している。これにより、組み立て工程においてシェード８を積み重ねることができ、搬送効率を高めることができる。
【００２７】
（５）押さえ
主に図１１を用いて説明する。
押さえ９は装着体４を天板６に取り付ける機能を有する。なお、取り付けには、図７示すねじ９８を利用して行われ、押さえ９は天板６に固定される。
押さえ９は、シェード体３を器具本体２に対して着脱する際に、装着体４を表側から支持する機能を有する。
押さえ９は周方向に間隔（等間隔）をおいて複数個ある。ここでは、等間隔をおいて４個ある。押さえ９は円弧状をしている。押さえ９は方形状の天板６の対角線上に位置するように設けられている。
【００２８】
押さえ９は装着体４の表面と対向する表対向部９１を有している。具体的には、表対向部９１は、装着体４の支持部４３（溝部分４４の底壁）と対向する。対向する面積は、支持部４３の半分以上である。断面でいうと、径方向の寸法の半分以上である。表対向部９１は、装着体４の径方向の外側から延伸して対向する。これにより、シェード体３の着脱時に確実且つ簡単な構造で装着体４を表側から支持できる。
【００２９】
押さえ９は、装着体４の外周面と対向する外対向部９２と、装着体４の外周側の装着体側突出部４６の間へと突出するシェード側突出部９３とを有している。具体的には、外対向部９２は装着体４の溝部分４４の外周壁４４３と対向し、シェード側突出部９３は外対向部９２の内周面に周方向に等間隔を置いて複数個形成されている。ここでは、シェード側突出部９３は６個形成されている。なお、ここでのシェード側突出部９３は、押さえ９の周方向の一部の領域に設けられているが、全長に亘って設けられてもよい。
シェード側突出部９３は、外対向部９２から内側に突出し、裏側から表側に移るにしたがって周方向の寸法が大きくなっている。つまり、シェード側突出部９３は、装着体４の中心側から見ると裏側が細くなる台形状をしている。これにより、シェード体３を外す際に、シェード側突出部９３間に装着体側突出部４６が裏側からスムーズに嵌合する。
【００３０】
押さえ９は、外対向部９２から裏側に延伸した後に外側に延伸する逆「Ｌ」字状をするＬ字状部９４を有している。裏側に延伸する縦板部９４１は、図１２に示すように、天板６の表側延伸板部６５の外周面に当接又は近接する。外側に延伸する横板部９４３は天板６の板状部６２の表面に当接又は近接する。横板部９４３の外周縁は、天板６の表面の円弧状のリブ６７７に当接又は近接する。これにより、押さえ９の径方向へのガタツキを小さくできる。
横板部９４３には、周方向に離間した貫通孔９４５を複数個有する。貫通孔９４５には、天板６の板状部６２のピン部分６２１（図９の（ｂ）参照）が嵌合する。これにより、押さえ９が周方向に位置決めされる。
【００３１】
押さえ９はＬ字状部９４を利用して表側に突出するボス部９５を有している。ボス部９５の底部分には貫通孔９５１が形成されている。ボス部９５には、天板６の表面に存在するボス部分６８１（図９の（ｂ）参照）が嵌合し、図７に示すねじ９８が押さえ９の貫通孔９５１を挿通して、天板６のねじ孔（図示省略）６８３に螺合する。
【００３２】
４．組み立て状態
シェード体３が器具本体２に装着された組み立て状態や取り付けについて図２及び図１２を用いて説明する。
（１）照明装置の取り付け
器具本体２は、図示しない設置面の被取付具に対して電源ユニット２５の取付部２５２を取り付けることで、設置面側に取り付けられる。
器具本体２に装着していない状態であってシェード本体５を支持した状態では、図１２の（ｂ）に示すように、装着体４がシェード本体５に対して表側に位置する。つまり、装着体４の支持部４３（溝部分４４の底部分）が押さえ９の表対向部９１と当接又は近接している。装着体４がこの位置に存在する場合、装着体４の外周の装着体側突出部４６と、シェード本体５（押さえ９）のシェード側突出部９３とが嵌合（噛合）している。これにより、シェード本体５の回転に伴って装着体４も回転する。
【００３３】
シェード体３を器具本体２に取り付ける際には、シェード本体５を支持した状態で装着体４の装着部４２を器具本体２（保護カバー２７）の装着部２7５の間に表側から挿入した後に、器具本体２の中心軸回りであって装着方向に回転が規制されるまでシェード本体５を回転させる。これにより、シェード体３の装着部４２が器具本体２の装着部２７５に係合する。この際、上述のように、シェード本体５と装着体４とは一体で回転するため、使用者は装着体４を操作する必要がなく、シェード本体５を回転させるだけで装着できる。
【００３４】
（２）装着状態
上記の方法によりシェード体３を器具本体２に装着すると、使用者はシェード体３の支持を解除する。これにより、シェード本体５が装着体４に対して表側に自重で下がり、図２や図１２の（ａ）に示すように、シェード本体５（天板６）のスライド部６３が装着体４の支持部４３に当接する。
シェード本体５の表裏方向の移動は、装着体４の外周面に対向する天板６の縦板部分６４１と押さえ９の外対向部９２とにより、スムーズに行われる。
この状態では、装着体４の外周の装着体側突出部４６と、シェード本体５（押さえ９）のシェード側突出部９３とは表裏方向にずれており、嵌合（噛合）していない。これにより、シェード本体５は装着体４に拘束されることなく回転自在となり、方形状のシェード本体５の向きを調整できる。
【００３５】
（３）シェード体の外し
シェード体３を器具本体２に装着した状態では、図２や図１２の（ａ）に示すように、シェード本体５（天板６）のスライド部６３が装着体４の支持部４３に当接している。
シェード体３を外すには、シェード本体５を裏側へと、装着体４の支持部４３に押さえ９の表対向部９１が当接するまで、押し上げる。この際、装着体４は器具本体２に係合しているため、表裏方向の移動はない。押し上げる際には、装着体４の外周面に対向する天板６の表側延伸板部６５と押さえ９の外対向部９２との内周面が略面一状(段差が小さい状態）で存在するため、スムーズに行われる。また、図２に示すように、天板６の縦板部分６４１の内周面側が、ベース２１の外周縁の裏鍔部２１９に近接するため、径方向のガタツキが少ない状態で押し上げることができる。
【００３６】
これにより、装着体４の外周の装着体側突出部４６とシェード本体５（押さえ９）のシェード側突出部９３とが嵌合（噛合）する。この際、周方向に隣接するシェード側突出部９３の間隔が裏側の方が大きく、装着体側突出部４６の形状が表側の方が細くなっているため、装着体側突出部４６とシェード側突出部９３との嵌合がスムーズに行われる。
なお、この嵌合によりシェード本体５の回転に伴って装着体４も回転する。
この状態で、器具本体２に対して中心軸回りを装着方向と反対向きにシェード体３を回転させることで、装着部４２と器具本体２の装着部２７５との係合が解除される。
【００３７】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していていない例や、要旨を逸脱しない範囲の設計変更があっても本発明に含まれる。
【００３８】
＜変形例＞
１．器具本体
（１）ベース
実施形態のベース２１は、円環状をしていたが、方形、多角形の環状をしていてもよい。ベースは、例えば、発光ユニットからの光を表側に反射させる反射機能を有してもよい。実施形態のベース２１は樹脂により構成されているが、例えば、金属板により構成して絶縁シート等の絶縁処理を施してもよい。
【００３９】
（２）発光ユニット
実施形態では、発光素子の一例としてＬＥＤ素子２３１を利用したが、例えば、裏面に両端子を有するレーザ素子であってもよいし、ＥＬ素子であってもよい。また、複数個のＬＥＤ素子２３１が実装されているＳＭＤタイプであってもよい。
発光ユニット２３は、複数個の導電片から構成された配線体２３２を備えているが、例えば、表面に配線パターンを有するは配線基板を利用してもよい。配線基板として裏側に絶縁層を備える場合、ベースとの絶縁性を考慮する必要がなく、金属製のベースを利用してもよい。
発光ユニットは調色可能に構成されてもよい。発光ユニットの形状は円環状以外に、多角環状であってもよいし、シェード形状に合わせた方形状であってもよい。
【００４０】
（３）電源ユニット
実施形態の電源ユニット２５は、電源回路と取付部２５２とを一体で有しているが、別体としてもよい。この場合、電源回路をベースの表側に配してもよいし、裏側に配してもよいし、裏側と表側との両側に配してもよい。
取付部２５２（電源ユニット２５）はベース２１に一体に組みこまれているが、取付部をベースに対して着脱自在なアダプタタイプとしてもよい。
電源ユニットは、点灯回路の他、調光回路、調色回路等の回路を備えてもよいし、タイマ機能や、リモコン信号を受信するように構成してもよい。
【００４１】
（４）保護カバー
実施形態の保護カバー２７は、中央に開口を有する環状をしているが、器具本体を設置面に装着する際にベースを保持して行う構成の場合、中央に開口を有しなくてもよい。
実施形態の保護カバー２７は、シェード体３を装着するための装着部２７５を有しているが、シェード体を装着するための装着部をベース側に設けてもよい。この場合、シェード体の装着体は、ベースに着脱自在に装着されることとなる。
【００４２】
２．シェード体
（１）装着体
（１−１）装着部
実施形態の装着部４２は、溝部分４４の内周壁４４１の裏側端から裏側に延伸するＬ字状部分４５に設けられているが、例えば溝部分の内周壁等の他の部位に設けてもよい。なお、装着体４に対してシェード本体５が表裏方向（上下）に移動させた際に、装着体４の溝部分４４にシェード本体５のスライド部６３が出入りする場合には、その移動と干渉しないように設ける必要がある。
装着部は、装着体を器具本体に対して、器具本体(発光ユニット）の中心軸回りに回転させることで、係合及びその解除ができるような構造であればよい。
【００４３】
（１−２）円環状部
実施形態では円環状部４１を有している。しかしながら、シェード本体５のスライド部６３を器具本体２の中心軸回りに回転自在に支持できればよく、円環状部以外の形状部を有してもよい。例えば、中央に開口を有する矩形板状部を有し、当該矩形板状部に円形状の溝部分を設け、当該溝部分にスライド部が嵌るようにしてもよい。但し、矩形板状部にする場合、シェード本体の回転時に互いに干渉しない構造にする必要がある。
【００４４】
（１−３）溝部分
実施形態では溝部分４４を有していたが、図１３の（ａ）及び（ｂ）に示すように、溝部分を有しなくてもよい。但し、装着時のシェード本体１００５ａ，１００５ｂにおいてスライド部１０６３ａ，１０６３ｂを裏側から支持し、着脱時のシェード本体１００５ａ，１００５ｂ（押さえ９）の表対向部９１により支持される構造が好ましい。
図１３の（ａ）では、天板１００６ａのスライド部１０６３ａは、器具本体の中心軸と直交する方向に延伸している。また、装着体１００４ａは溝部分が埋まったような円環状部１０４１ａを有する。
図１３の（ｂ）では、天板１００６ｂのスライド部１０６３ｂは、器具本体の中心軸と直交する方向に延伸している。また、装着体１００４ｂは器具本体の中心軸と直交する方向に延伸した後に表側に屈曲して延伸する「Ｌ」字状の円環状部１０４１ｂを有する。
【００４５】
（１−４）突出部（装着体側突出部）
実施形態の装着体側突出部４６は円環状部４１の外周側に形成されているが、例えば、内周側に突出部を設けてもよい。この場合、押さえを例えば裏側が開放する「コ」字状とし、コ字状における器具本体の中心側に位置する内壁にシェード側突出部を設けることで実施できる。
また、突出部を支持部（溝部分の底）に設けてもよい。この場合、例えば、押さえの表対向部９１にシェード側突出部を設けることで実施できる。
【００４６】
（２）シェード本体
（２−１）天板と押さえ
シェード本体５は、装着時に装着体４に表側から支持され、着脱時に装着体４に対して回転規制される装着機構を有していれば、他の構造であってもよい。
例えば、図１３の（ｃ）に示すように、スライド部２０９３を押さえ２００９に設け、表対向部２０６１と外対向部２０６２とを天板２００６に一体に設け、装着体４を天板２００６側に設けた後、押さえ２００９を天板２００６の裏側に取り付けるようにしてもよい。
また、押さえの横断面形状を例えば、「コ」字状とし、装着体と嵌合する状態で天板に固定するようにしてもよい。なお、この場合、押さえは、表裏から見たときに半円以下の円弧状が好ましい。
【００４７】
（２−２）押さえ
実施形態では、表対向部９１を有しているが、例えば、周方向に隣接するシェード側突出部９３の間であってその表側の間隔を小さくして、シェード本体が装着体に対して裏方向への移動が規制するように構成することで、表対向部を無くすることができる。
実施形態では、４個の押さえ９のすべてにシェード側突出部９３が設けられているが、１個以上の押さえ９にシェード側突出部９３が存在すればよい。
【００４８】
（３）天板
実施形態では、スライド部６３を周方向の全範囲に備えていたが、シェード本体が装着体により支持されればよく、周方向の全範囲でなく、例えば、周方向に間隔をおいた複数領域に備えてもよい。
押さえ９が取り付けられる部位の構造は、押さえを取り付けられればよく、押さえの構造に合わせて決定される。
【００４９】
（４）フレーム・シェード
実施形態のフレーム７は、フレーム本体７１と補強体７３とを別構造としているが、一体構造としてもよいし、補強体付きのフレーム本体を２本結合した「Ｌ」字状としてもよい。フレームは、シェードを裏側から挿入可能であって表側の張出部によりシェードを支持できるような形状であれば、フレーム本体と補強体とを一体で「ロ」字状に構成してもよい。
実施形態のシェード８は表側から見ると方形状をしているが、矩形状、正多角形等の他の非円形状であってもよい。
【００５０】
（５）嵌合部
実施形態では嵌合部の一例として、上下方向に延伸する中心軸と直交する径方向に突出する装着体側突出部４６とシェード側突出部９３について説明している。しかしながら、一方の突出部は他方の突出部間に存在する溝部に嵌合するとも言え、嵌合部にはこのような概念も包含する。
【００５１】
３．照明装置
実施形態の照明装置Ａは、電源回路を備えるシーリングライトであったが、電源回路を備えない照明装置であってもよい。
【符号の説明】
【００５２】
Ａ    照明装置
２    器具本体
３    シェード体
４    装着体
５    シェード本体
【図１】
2019220263.tif 000003
【図２】
2019220263.tif 000004
【図３】
2019220263.tif 000005
【図４】
2019220263.tif 000006
【図５】
2019220263.tif 000007
【図６】
2019220263.tif 000008
【図７】
2019220263.tif 000009
【図８】
2019220263.tif 000010
【図９】
2019220263.tif 000011
【図１０】
2019220263.tif 000012
【図１１】
2019220263.tif 000013
【図１２】
2019220263.tif 000014
【図１３】
2019220263.tif 000015